【手続補正書】
【提出日】平成27年12月7日(2015.12.7)
【手続補正１】
【補正対象書類名】明細書
【補正対象項目名】００１０
【補正方法】変更
【補正の内容】
【００１０】
本発明は、任意のページからなるファイルをサーバに保管してその格納先情報を付加した印刷をする際に、保管したページの制約を受けない印刷が可能な仕組みを提供することを目的とする。
【手続補正２】
【補正対象書類名】特許請求の範囲
【補正対象項目名】全文
【補正方法】変更
【補正の内容】
【特許請求の範囲】
【請求項１】
サーバ装置とネットワークを介して接続される情報処理装置であって、
第一のファイルを構成するページのうち、前記サーバ装置にどのページを送信し、どのページを送信しないかを決定するための指定を受け付けるページ指定受付手段と、
前記ページ指定受付手段で受け付けた指定に従って、前記サーバ装置に送信すべきページの情報を含み、前記サーバ装置に送信しないページの情報を含まない第二のファイルを生成するファイル生成手段と、
前記ファイル生成手段で生成された第二のファイルを前記サーバ装置に送信するファイル送信手段と、
前記第一のファイルと、前記ファイル送信手段で前記サーバ装置に送信された第二のファイルの格納先を示す格納先情報とを含む印刷すべきデータを生成する印刷データ生成手段と
を備えることを特徴とする情報処理装置。
【請求項２】
前記ページ指定受付手段は、
前記第一のファイルを構成するページのうち、前記サーバ装置に送信するページの指定を受け付け、
前記ファイル生成手段は、前記ページ指定受付手段で指定を受け付けたページから成る第二のファイルを生成することを特徴とする請求項１に記載の情報処理装置。
【請求項３】
前記ページ指定受付手段は、
前記第一のファイルを構成するページのうち、前記サーバ装置に送信しないページの指定を受け付け、
前記ファイル生成手段は、前記ページ指定受付手段で指定を受け付けなかったページから成る第二のファイルを生成することを特徴とする請求項１または
２に記載の情報処理装置。
【請求項４】
前記印刷データ生成手段は、前記サーバ装置と通信できない場合に、前記格納先情報を含めずに、印刷すべきデータの印刷データを生成することを特徴とする請求項１乃至３のいずれか１項に記載の情報処理装置。
【請求項５】
前記情報処理装置は、
前記サーバ装置と通信できない場合に、所定時間待機する待機手段を更に備えることを特徴とする請求項１乃至４のいずれか１項に記載の情報処理装置。
【請求項６】
前記情報処理装置は、
前記ファイル送信手段で送信された第二のファイルの格納先を示す格納先情報を、前記サーバ装置から受信する格納先情報受信手段を更に備え、
前記印刷データ生成手段は、前記第一のファイルと、前記格納先情報受信手段で受信した格納先情報とを含む印刷すべきデータを生成することを特徴とする請求項１乃至５のいずれかに１項に記載の情報処理装置。
【請求項７】
前記情報処理装置は、
前記第一のファイルに対する印刷指示を受け付ける印刷指示受付手段を更に備えることを特徴とする請求項１乃至６のいずれか１項に記載の情報処理装置。
【請求項８】
サーバ装置とネットワークを介して接続される情報処理装置の制御方法であって、
前記情報処理装置のページ指定受付手段が、第一のファイルを構成するページのうち、前記サーバ装置にどのページを送信し、どのページを送信しないかを決定するための指定を受け付けるページ指定受付ステップと、
前記ページ指定受付手段で受け付けた指定に従って、前記サーバ装置に送信すべきページの情報を含み、前記サーバ装置に送信しないページの情報を含まない第二のファイルを生成するファイル生成ステップと、
前記情報処理装置のファイル送信手段が、前記ファイル生成ステップで生成した第二のファイルを前記サーバ装置に送信するファイル送信ステップと、
前記第一のファイルと、前記ファイル送信手段で前記サーバ装置に送信された第二のファイルの格納先を示す格納先情報とを含む印刷すべきデータを生成する印刷データ生成ステップと、
を備えることを特徴とする情報処理装置の制御方法。 
【請求項９】
サーバ装置とネットワークを介して接続される情報処理装置の制御方法を実行可能なプログラムであって、
前記情報処理装置を、
第一のファイルを構成するページのうち、前記サーバ装置にどのページを送信し、どのページを送信しないかを決定するための指定を受け付けるページ指定受付手段と、
前記ページ指定受付手段で受け付けた指定に従って、前記サーバ装置に送信すべきページの情報を含み、前記サーバ装置に送信しないページの情報を含まない第二のファイルを生成するファイル生成手段と、
前記ファイル生成手段で生成した第二のファイルを前記サーバ装置に送信するファイル送信手段と、
前記第一のファイルと、前記ファイル送信手段で前記サーバ装置に送信された第二のファイルの格納先を示す格納先情報とを含む印刷すべきデータを生成する印刷データ生成手段
として機能させることを特徴とするプログラム。 
【請求項１０】
情報処理装置と、前記情報処理装置から送信されたファイルを記憶することの可能な記憶手段を備えるサーバ装置とを含む情報処理システムであって、
前記情報処理装置は、
第一のファイルを構成するページのうち、前記サーバ装置にどのページを送信し、どのページを送信しないかを決定するための指定を受け付けるページ指定受付手段と、
前記ページ指定受付手段で受け付けた指定に従って、前記サーバ装置に送信すべきページの情報を含み、前記サーバ装置に送信しないページの情報を含まない第二のファイルを生成するファイル生成手段と、
前記ファイル生成手段で生成された第二のファイルを前記サーバ装置に送信するファイル送信手段と、
前記第一のファイルと、前記ファイル送信手段で前記サーバ装置に送信された第二のファイルの格納先を示す格納先情報とを含む印刷すべきデータを生成する印刷データ生成手段と、
を備え、
前記サーバ装置は、
前記情報処理装置から送信された第二のファイルを受信するファイル受信手段と、
前記ファイル受信手段で受信した第二のファイルを前記記憶手段に格納するファイル格納手段と
を備えることを特徴とする情報処理システム。
【請求項１１】
前記ページ指定受付手段は、
前記第一のファイルを構成するページのうち、前記サーバ装置に送信するページの指定を受け付け、
前記ファイル生成手段は、前記ページ指定受付手段で指定を受け付けたページから成る第二のファイルを生成し、
前記ファイル送信手段は、前記ページ指定受付手段でページの指定を受け付けた場合には、前記ファイル生成手段で生成された第二のファイルを前記サーバ装置に送信することを特徴とする請求項１０に記載の情報処理システム。
【請求項１２】
前記ページ指定受付手段は、
前記第一のファイルを構成するページのうち、前記サーバ装置に送信しないページの指定を受け付け、
前記ファイル生成手段は、前記ページ指定受付手段で指定を受け付けなかったページから成る第二のファイルを生成し、
前記ファイル送信手段は、前記ページ指定受付手段でページの指定を受け付けた場合には、前記ファイル生成手段で生成された第二のファイルを前記サーバ装置に送信することを特徴とする請求項１０または１１に記載の情報処理システム。
【請求項１３】
前記印刷データ生成手段は、前記サーバ装置と通信できない場合に、前記格納先情報を含めずに、印刷すべきファイルの印刷データを生成することを特徴とする請求項１０乃至１２のいずれか１項に記載の情報処理システム。
【請求項１４】
前記情報処理装置は、
前記サーバ装置と通信できない場合に、所定時間待機する待機手段を更に備えることを特徴とする請求項１０乃至１３のいずれか１項に記載の情報処理システム。
【請求項１５】
前記サーバ装置は、
前記ファイル格納手段で格納した第二のファイルの前記格納先情報を取得し、前記情報処理装置に送信する格納先情報送信手段
を更に備え、
前記情報処理装置は、
前記格納先情報送信手段で送信された第二のファイルの前記格納先情報を受信する格納先情報受信手段
を更に備え、
前記印刷データ生成手段は、前記第一のファイルと、前記格納先情報受信手段で受信した第二のファイルの前記格納先情報とを含む印刷すべきデータを生成することを特徴とする請求項１０乃至１４のいずれか１項に記載の情報処理システム。
【請求項１６】
前記情報処理装置は、  前記印刷データ生成手段で生成された印刷すべきデータに対する印刷指示を受け付ける印刷指示受付手段と、
前記印刷指示受付手段で指示を受け付け印刷された紙文書に含まれる前記格納先情報に基づいて、前記サーバ装置に対して前記第二のファイルの取得要求を送信するファイル取得要求送信手段と
を更に備え、
前記サーバ装置は、
前記ファイル取得要求送信手段で要求された第二のファイルを前記記憶手段から取得するファイル取得手段と、
前記ファイル取得手段で取得した第二のファイルを前記情報処理装置に送信する取得ファイル送信手段とを更に備えることを特徴とする請求項１０乃至１５のいずれか１項に記載の情報処理システム。
【請求項１７】
前記情報処理装置は、
前記サーバ装置に格納した第二のファイルを取得可能な条件である取得条件の入力を受け付ける取得条件受付手段を更に備え、
前記ファイル送信手段は、前記ファイル生成手段で生成した第二のファイルと、前記取得条件受付手段で入力を受け付けた取得条件とを前記サーバ装置に送信し、
前記ファイル受信手段は、前記情報処理装置から送信された第二のファイルと取得条件とを受信し、
前記ファイル格納手段は、前記ファイル受信手段で受信した第二のファイルと取得条件と対応付けて前記記憶手段に格納し、
前記サーバ装置は、
前記ファイル取得要求送信手段で要求された第二のファイルに対応する取得条件に基づいて、当該第二のファイルが取得可能か否かを判定する判定手段を更に備え、
前記ファイル取得手段は、前記判定手段で前記第二のファイルが取得可能であると判定された場合に、当該第二のファイルを前記記憶手段から取得することを特徴とする請求項１６に記載の情報処理システム。
【請求項１８】
情報処理装置と、前記情報処理装置から送信されたファイルを記憶することの可能な記憶手段を備えるサーバ装置とを含む情報処理システムの制御方法であって、
前記情報処理装置の指定受付手段が、第一のファイルを構成するページのうち、前記サーバ装置にどのページを送信し、どのページを送信しないかを決定するための指定を受け付けるページ指定受付ステップと、
前記ページ指定受付手段で受け付けた指定に従って、前記サーバ装置に送信すべきページの情報を含み、前記サーバ装置に送信しないページの情報を含まない第二のファイルを生成するファイル生成ステップと、
前記情報処理装置のファイル送信手段が、前記ファイル生成ステップで生成した第二のファイルを前記サーバ装置に送信するファイル送信ステップと、
前記サーバ装置のファイル受信手段が、前記情報処理装置から送信された第二のファイルを受信するファイル受信ステップと、
前記サーバ装置のファイル格納手段が、前記ファイル受信手段で受信したファイルを前記記憶手段に格納するファイル格納ステップと、
前記第一のファイルと、前記ファイル送信手段で前記サーバ装置に送信された第二のファイルの格納先を示す格納先情報とを含む印刷すべきデータを生成する印刷データ生成ステップと
を備えることを特徴とする情報処理システムの制御方法。
【請求項１９】
情報処理装置と、前記情報処理装置から送信されたファイルを記憶することの可能な記憶手段を備えるサーバ装置とを含む情報処理システムの制御方法を実行可能なプログラムであって、
前記情報処理装置を、
第一のファイルを構成するページのうち、前記サーバ装置にどのページを送信し、どのページを送信しないかを決定するための指定を受け付けるページ指定受付手段と、
前記ページ指定受付手段で受け付けた指定に従って、前記サーバ装置に送信すべきページの情報を含み、前記サーバ装置に送信しないページの情報を含まない第二のファイルを生成するファイル生成手段と、
前記ファイル生成手段で生成した第二のファイルを前記サーバ装置に送信するファイル送信手段と、
前記第一のファイルと、前記ファイル送信手段で前記サーバ装置に送信された第二のファイルの格納先を示す格納先情報とを含む印刷すべきデータを生成する印刷データ生成手段
として機能させ、
前記サーバ装置を、
前記情報処理装置から送信された第二のファイルを受信するファイル受信手段と、
前記ファイル受信手段で受信したファイルを前記記憶手段に格納するファイル格納手段
として機能させることを特徴とするプログラム。